(57)【要約】【課題】電磁波干渉による信号の障害や、信号電流のリークを防止できる、バス接地線を含むフラットケーブルを提供する。【解決手段】バス接地線５２を鋳型内の所定位置に定置し、押し出し工法によってバス導線３１、３２…の上、下両側の少なくとも一方に一体的に形成することで電磁波による障害や信号電流のリークを防止できる。また、バス接地線５２のサイズと位置は鋳型の調整により容易に行うことができる。【選択図】　　　　　　図３
0003098662.tif 000002
【実用新案登録請求の範囲】
【請求項１】
絶縁層で被覆された互いに平行に配列されている複数のバス導線と、
前記複数のバス導線と共に、押し出し工法でフラットケーブルと一体となるようにモールド形成されている複数のバス接地線と、
を有することを特徴とするフラットケーブル。
【請求項２】
前記バス接地線は、前記複数のバス導線の少なくとも１つのバス導線の上、下両側の少なくとも一方側に形成されていることを特徴とする請求項１記載のフラットケーブル。
【請求項３】
前記バス接地線のサイズと位置は、前記バス接地線を前記押出し工法で敷設するために前記フラットケーブル上に設けられる凹溝を形成するための鋳型の対応部分を修正することにより調整されたものであることを特徴とする請求項１または２記載のフラットケーブル。
【考案の詳細な説明】
【０００１】
【考案の属する技術分野】
本考案は、フラットケーブルに関するもので、詳しくは、複数のバス接地線が複数のバス導線と共に一体にモールド形成された新しいフラットケーブルに関する。
【０００２】
【従来の技術】
電子工業技術の驚異的進歩に伴い、生産コストの抑制につながる部品の小型化、軽量化、および精密化が一層厳格に要求されるようになってきた。
【０００３】
最近では様々な電子機器において信号を伝達するためのフラットケーブル（バス配線用ケーブルなどとも称されている）も素子間の信号伝達のために重要な要素となっている。
【０００４】
図１は、電子機器に使用されている従来のフラットケーブルを示す図面である。
【０００５】
図１からわかるように、基本的にフラットケーブルは絶縁層２で完全に被覆された互いに平行に配列された複数のバス導線１１、１２、１３…を含んでいる。そして、このフラットケーブルの負荷端子（両端または途中に備わっているコネクター）に様々な電子機器が接続され、信号を伝達するために用いられる。
【０００６】
然るにこのようなフラットケーブルの構成は、外部からの電磁波干渉などで、伝達させる信号の変化や、伝達中の信号リークなどが発生し、信号強度の低下を免れることができない。
【０００７】
このために、当業者はこのような問題と取り組んで、様々な解決法を見出だそうとしている。
【０００８】
その中の１つとして、フラットケーブルの端子に粘着剤で金属遮蔽膜を貼付ける方法がある。また、フラットケーブルに設けられている端子の各ピンから接地端子を引き出し、その末端に溶融した液体銀を塗布して遮蔽層としている例もある（特許文献１参照）。また同様に、溶融した液体銀で形成した完全な遮蔽層をフラットケーブルの各側面に施しているものもある。
【０００９】
【特許文献１】
台湾特許第４５６７６４号
【００１０】
【考案が解決しようとする課題】
このような従来のフラットケーブルに対する接地線の取り付けは、押圧工法でバス導線をフラットケーブルに形成した後、二次加工として行っているゆえに、余計な手間を必要とする。また、前述の特許文献１を含む従来の方法では、しばしば見受けられる欠点として、粘着剤でフラットケーブルに貼付けた金属遮蔽層の剥離や、遮蔽層のきつすぎる貼付けによるバス導線の柔軟性の喪失、また二次加工を必要とするわずらわしさなど、工費がかさみ、製品としての品質も落ちるという問題があった。
【００１１】
そこで本考案の目的は、バス導線と一緒に、バス接地線をも一体に形成された新しいフラットケーブルを提供することである。
【００１２】
また、本考案の他の目的は、外部からの電磁波干渉で伝達する信号変化や、伝送中の信号電流のリークによる信号強度の低下を防止し得るバス接地線を含む新しいフラットケーブルを提供することである。
【００１３】
【課題を解決するための手段】
以上の事情に鑑み、従来の問題点を改善せんがだめ、本願の考案者は多年当業に従事している経験に基づき、長期に渡る苦心研鑽の結果、逐に本考案の開発の成功を見るに至ったのである。
【００１４】
すなわち、上記諸目的は下記のように構成された本考案により達成される。
【００１５】
（１）絶縁層で被覆された互いに平行に配列されている複数のバス導線と、前記複数のバス導線と共に、押し出し工法（ｅｘｔｒｕｓｉｏｎｐｒｏｃｅｓｓ）でフラットケーブルと一体となるようにモールド形成されている複数のバス接地線と、を有することを特徴とするフラットケーブル。
【００１６】
（２）前記バス接地線は、前記複数のバス導線の少なくとも１つのバス導線の上、下両側の少なくとも一方側に形成されていることを特徴とするフラットケーブル。
【００１７】
（３）前記バス接地線のサイズと位置は、前記バス接地線を前記押出し工法で敷設するために前記フラットケーブル上に設けられる凹溝を形成するための鋳型の対応部分を修正することにより調整されたものであることを特徴とするフラットケーブル。
【００１８】
【考案の実施の形態】
図２は、フラットケーブルの基本構成を示す斜視図である。
【００１９】
フラットケーブル３は、複数のバス導線３１、３２、…がフラットケーブル３の中で互いに平行に配置されており、絶縁層４により被覆されている。
【００２０】
図３は、本考案によるフラットケーブルを説明するための斜視図である。
【００２１】
このフラットケーブル３には、バス接地線５２を敷設するために保留された空間として凹溝５１が絶縁層４に形成されている。そして、この凹溝５１にバス接地線５２が嵌め込まれており、バス導線３１、３２、…と一緒に、フラットケーブル３として一体的に形成されている。
【００２２】
図４は、このフラットケーブルを製作のために使用される鋳型の概略図である。
【００２３】
図に示すように、鋳型６には、バス接地線５２を嵌め込む凹溝５１を形成するための凹溝６１が設けられている。
【００２４】
この鋳型６を用いたフラットケーブル３の製作は、バス接地線５２を鋳型６内の所定位置（凹溝６１）に定置して、バス導線３１、３２、…と一緒にバス接地線５２が凹溝６１によって形成される凹溝５１に嵌め込まれるように、絶縁層４となる樹脂材料と共に、押し出し工法によりフラットケーブル３として一体的に形成する。
【００２５】
このように本フラットケーブル３は、バス接地線５２がバス導線３１、３２、…と一緒にフラットケーブル３と一体に形成できるため、あとから二次加工の必要がなくなり、生産コストを節約することができる。
【００２６】
また、バス接地線５２のサイズや位置の調整は、鋳型６の凹溝６１の大きさを適宜修正することにより容易に行うことができる。
【００２７】
図５は、本考案の他の実施の形態によるフラットケーブルを示す概略図である。
【００２８】
このフラットケーブル３は、バス接地線５とバス導線３１、３２、…は、前述と同様に押し出し工法で一体に形成されている。
【００２９】
図５からわかるように、バス接地線５が、バス導線３１、３２、…などの上、下側に密着して配置されている。
【００３０】
バス接地線５のサイズや位置の調整は、先に説明したと同様に、鋳型６の凹溝６１の大きさを適宜修正することにより容易に行うことができる。
【００３１】
そして、このようにバス接地線５がバス導線３１、３２、…の上、下側に密着して配置されたフラットケーブルによって、電磁波干渉による障害や、信号電流のリークが防止されるのである。
【００３２】
以上の説明でわかるように、本考案には注目すべきいくつかの特徴がある。すなわち、バス接地線とバス導線は押し出し工法でフラットケーブルと一体に形成され、二次加工の必要がなく、生産コストが安くなる。また、バス接地線のサイズと位置の調整は、使用される鋳型の修正により容易に達成される。さらにバス導線の上、下側に嵌め込まれたバス接地線によって、電磁波干渉による障害や、信号電流のリークを防止することができる。
【００３３】
なお、バス接地線は、電磁波干渉による障害や、信号電流のリークを防止するために、その設置数も適宜調整することができる。したがって、バス接地線は、複数のバス導線のうち少なくとも１つのバス導線の上、下側のうち少なくとも一方の側に配置されていればよい。
【００３４】
本考案は、本考案の技術的思想から逸脱することなく、他の様々な形態で実施することができる。前述した実施の形態は、あくまでも本考案の内容を明らかにするだけのものであって、これらの具体例のみに限定して本考案を狭義に解釈すべきものではなく、本考案の精神と実用新案登録請求の範囲内で、いろいろと変更して実施することができるものである。
【００３５】
【考案の効果】
本考案によれば、フラットケーブルと一緒にバス接地線を鋳型の所定位置に定置し、押し出し工法により、バス接地線をバス導線の上、下両側の少なくとも一方に一体に形成したものであるから、バス接地線を敷設するのための二次加工が不要となり、製作コストを低減することが可能となる。また、バス接地線のサイズと位置を容易に調整することができるため、電磁波の干渉による障害や、信号電流のリークを防止することができる。
【図面の簡単な説明】
【図１】従来のフラットケーブルの概略図である。
【図２】フラットケーブルの基本構成を示す斜視図である。
【図３】本考案によるフラットケーブルを説明するための斜視図である。
【図４】本考案によるフラットケーブルを製作するために使用される鋳型の概略図である。
【図５】本考案によるフラットケーブルの他の実施に形態の概略図である。
【符号の説明】
１１、１２、１３、３１、３２…バス導線
２、４…絶縁層
３…フラットケーブル
５、５２…バス接地線
５１…凹溝
６…鋳型
６１…鋳型の凹溝
【図１】
0003098662.tif 000003
【図２】
0003098662.tif 000004
【図３】
0003098662.tif 000005
【図４】
0003098662.tif 000006
【図５】
0003098662.tif 000007